(57)【要約】【課題】裏面に時刻表示以外の他の機能を指針で表示可能とし、更に、時計を裏返すことなく表面側からも裏面の指針表示を視認可能な時計を提供する。【解決手段】外装ケース２の筒状内側の外周部に設けた外周部材３と、外装ケース３内の外周部材３の外周面よりも内側に配置され、時計表面側に配置される時刻針（時針１０、分針１１、秒針１２）及び時計裏面側に配置される電池残量指示針１３を独立して駆動可能なムーブメント４と、外周部材３の外周面とムーブメント４の外周面との間に時計表面側から時計裏面側に貫通するように形成された所定幅の隙間Ｓと、ムーブメント４を隙間Ｓを介して外周部材３の内側に支持するリブ５を備え、ムーブメント４で駆動される電池残量指示針１３の指示位置を、時計表面側から隙間Ｓを通して視認可能とした。【選択図】図１
2010217138.tif 000002
【特許請求の範囲】
【請求項１】
外装ケースの筒状内側の外周部に設けた外周部材と、
前記外装ケース内の前記外周部材の外周面よりも内側に配置され、時計表面側に配置される表面側指針及び時計裏面側に配置される裏面側指針を独立して駆動可能なムーブメントと、
前記外周部材の外周面と前記ムーブメントの外周面との間に時計表面側から時計裏面側に貫通するように形成された所定幅の隙間と、
前記ムーブメントを前記隙間を挟むようにして前記外周部材の内側に支持する支持体と、を備え、
前記ムーブメントで駆動される前記裏面側指針の指示位置を、時計表面側から前記隙間を通して視認可能としたことを特徴とする時計。
【請求項２】
前記支持体は、前記外周部材の外周面と前記ムーブメントの外周面との間の一箇所を連結したリブであることを特徴とする請求項１に記載の時計。
【請求項３】
前記ムーブメント内に配置されている、少なくとも駆動電源としての電池と巻真に繋がる時刻修正機構が、前記ムーブメント内の前記リブが連結されている側に位置するように配置され、前記巻真が前記リブ内を挿通するようにして前記外装ケースの外側の竜頭に連結されていることを特徴とする請求項２に記載の時計。
【請求項４】
前記支持体は、前記リブと、透明性を有する部材で形成された補助リブで前記外周部材の外周面と前記ムーブメントの外周面との間を連結していることを特徴とする請求項１に記載の時計。
【請求項５】
前記支持体は、透明性を有する部材で成型され、前記隙間に挿着された透明成型体であることを特徴とする請求項１に記載の時計。
【請求項６】
駆動電源としての電池が前記外装ケース内部に配置されることを特徴とする請求項１又は２に記載の時計。
【請求項７】
前記ムーブメントに配置される前記表面側指針の指針軸と前記裏面側指針の指針軸が、それぞれ異なる軸線上に位置していることを特徴とする請求項１乃至６のいずれか一項に記載の時計。
【請求項８】
前記表面側指針は、時刻を指示表示する時針、分針、秒針であり、前記裏面側指針は、特定機能を指示表示する機能針であることを特徴とする請求項１乃至７のいずれか一項に記載の時計。
【請求項９】
前記機能針は、電池残量を指示表示する電池残量指示針であることを特徴とする請求項８に記載の時計。
【請求項１０】
前記機能針は、非定常的に使用される機能の計測値を指示する指針であり、前記機能針が非動作時には前記リブと重なる位置に停止していることを特徴とする請求項８に記載の時計。
【請求項１１】
前記非定常的に使用される機能が、水深計、高度計、方位計等の物理用計測や、クロノグラフ、タイマー等の非定常時間計測であることを特徴とする請求項１０に記載の時計。
【請求項１２】
前記表面側指針は、時刻を指示表示する時針、分針、秒針であり、前記裏面側指針は、前記表面側指針の前記時針とは異なる時刻を指示表示する第２の時刻針を有し、前記時針、分針、秒針と前記第２の時刻針は同一方向に回動されることを特徴とする請求項１乃至７のいずれか一項に記載の時計。
【請求項１３】
前記表面側指針は、時刻を指示表示する時針、分針、秒針であり、前記裏面側指針は、前記表面側指針の前記時針とは異なる時刻を指示表示する第２の時刻針と、前記分針と同一時刻を指示表示する第２の分針を有し、時計裏面側から視認したときに、前記時針、分針、秒針と前記第２の時刻針、前記第２の分針は時計裏面側から見て右回り方向に回動されることを特徴とする請求項１乃至７のいずれか一項に記載の時計。
【請求項１４】
前記外装ケースの筒状内側の表面側と裏面側にそれぞれ取り付けた光透過性を有する表面側風防ガラスと裏面側風防ガラスの内側にそれぞれ平板状の光透過性を有する太陽電池が配置され、
前記表面風防ガラス側の太陽電池を構成する複数の直線状に配置されたソーラセルの配置密度と、前記裏面風防ガラス側の太陽電池を構成する複数の直線状に配置されたソーラセルの配置密度が異なることを特徴とする請求項１に記載の時計。
【請求項１５】
前記外周部材の外周面内側近傍に、該外周部材の外周面に沿って帯状の太陽電池を配置し、前記外周部材の外周面を透明部材によって形成したことを特徴とする請求項１に記載の時計。
【請求項１６】
前記ムーブメントの外周面内側近傍に、該ムーブメントの外周面に沿って帯状の太陽電池を配置し、前記ムーブメントの外周面を透明部材によって形成したことを特徴とする請求項１に記載の時計。
【発明の詳細な説明】
【技術分野】
【０００１】
本発明は、表面側と裏面側に別々の指針で指示表示可能な時計に関する。
【背景技術】
【０００２】
指針位置により時刻をアナログ表示する通常の腕時計タイプの時計は、表面側の文字板上で駆動される指針の位置を時計表面側から視認する構成であるが、多機能化等を図るために裏面側にも指針で表示可能に構成された時計が従来より知られている（例えば、特許文献１）。
【０００３】
前記特許文献１の時計（両面腕時計）では、表面透明板と裏面透明板との間に時計駆動体によって駆動される指針（時針、分針、秒針）を配置し、時計駆動体によって駆動される指針の位置を、表面透明板と裏面透明板を通して時計の両面から視認できるように構成されている。この際、時計の表面側からは指針の右回りの通常表示の時刻を視認することができ、時計の裏面側からは指針の左回り（逆回り）で表示される時刻を視認することができる。
【先行技術文献】
【特許文献】
【０００４】
【特許文献１】実開昭６２−９３７８５号公報
【発明の概要】
【発明が解決しようとする課題】
【０００５】
ところで、前記特許文献１のような時計（両面腕時計）では、時刻表示する指針（時針、分針、秒針）の動きを表面側と裏面側から視認可能であるが、近年、時計裏面側も有効利用するために、裏面に前記時刻表示（指針の左回りの時刻表示）以外の他の機能（例えば、電池の残量（ソーラ発電機能を有する場合は電池の残容量など）などを指針で指示表示可能な時計（両面腕時計）が望まれている。
【０００６】
更に、裏面に他の機能を指針表示した場合に、操作性と視認性の向上を図るために時計を裏返すことなく表面側からも裏面の指針表示を視認可能な時計が求められている。
【０００７】
そこで、本発明は、裏面に時刻表示以外の他の機能を指針で表示可能とし、更に、時計を裏返すことなく表面側からも裏面の指針表示を視認可能な時計を提供することを目的とする。
【課題を解決するための手段】
【０００８】
前記目的を達成するために請求項１に記載の発明は、外装ケースの筒状内側の外周部に設けた外周部材と、前記外装ケース内の前記外周部材の外周面よりも内側に配置され、時計表面側に配置される表面側指針及び時計裏面側に配置される裏面側指針を独立して駆動可能なムーブメントと、前記外周部材の外周面と前記ムーブメントの外周面との間に時計表面側から時計裏面側に貫通するように形成された所定幅の隙間と、前記ムーブメントを前記隙間を挟むようにして前記外周部材の内側に支持する支持体と、を備え、前記ムーブメントで駆動される前記裏面側指針の指示位置を、時計表面側から前記隙間を通して視認可能としたことを特徴としている。
【０００９】
請求項２に記載の発明は、前記支持体は、前記外周部材の外周面と前記ムーブメントの外周面との間の一箇所を連結したリブであることを特徴としている。
【００１０】
請求項３に記載の発明は、前記ムーブメント内に配置されている、少なくとも駆動電源としての電池と巻真に繋がる時刻修正機構が、前記ムーブメント内の前記リブが連結されている側に位置するように配置され、前記巻真が前記リブ内を挿通するようにして前記外装ケースの外側の竜頭に連結されていることを特徴としている。
【００１１】
請求項４に記載の発明は、前記支持体は、前記リブと、透明性を有する部材で形成された補助リブで前記外周部材の外周面と前記ムーブメントの外周面との間を連結していることを特徴としている。
【００１２】
請求項５に記載の発明は、前記支持体は、透明性を有する部材で成型され、前記隙間に挿着された透明成型体であることを特徴としている。
【００１３】
請求項６に記載の発明は、駆動電源としての電池が前記外装ケース内部に配置されることを特徴としている。
【００１４】
請求項７に記載の発明は、前記ムーブメントに配置される前記表面側指針の指針軸と前記裏面側指針の指針軸が、それぞれ異なる軸線上に位置していることを特徴としている。
【００１５】
請求項８に記載の発明は、前記表面側指針は、時刻を指示表示する時針、分針、秒針であり、前記裏面側指針は、特定機能を指示表示する機能針であることを特徴としている。
【００１６】
請求項９に記載の発明は、前記機能針は、電池残量を指示表示する電池残量指示針であることを特徴としている。
【００１７】
請求項１０に記載の発明は、前記機能針は、非定常的に使用される機能の計測値を指示する指針であり、前記機能針が非動作時には前記リブと重なる位置に停止していることを特徴としている。
【００１８】
請求項１１に記載の発明は、前記非定常的に使用される機能が、水深計、高度計、方位計等の物理用計測や、クロノグラフ、タイマー等の非定常時間計測であることを特徴としている。
【００１９】
請求項１２に記載の発明は、前記表面側指針は、時刻を指示表示する時針、分針、秒針であり、前記裏面側指針は、前記表面側指針の前記時針とは異なる時刻を指示表示する第２の時刻針を有し、前記時針、分針、秒針と前記第２の時刻針は同一方向に回動されることを特徴としている。
【００２０】
請求項１３に記載の発明は、前記表面側指針は、時刻を指示表示する時針、分針、秒針であり、前記裏面側指針は、前記表面側指針の前記時針とは異なる時刻を指示表示する第２の時刻針と、前記分針と同一時刻を指示表示する第２の分針を有し、時計裏面側から視認したときに、前記時針、分針、秒針と前記第２の時刻針、前記第２の分針は時計裏面側から見て右回り方向に回動されることを特徴としている。
【００２１】
請求項１４に記載の発明は、前記外装ケースの筒状内側の表面側と裏面側にそれぞれ取り付けた光透過性を有する表面側風防ガラスと裏面側風防ガラスの内側にそれぞれ平板状の光透過性を有する太陽電池が配置され、前記表面風防ガラス側の太陽電池を構成する複数の直線状に配置されたソーラセルの配置密度と、前記裏面風防ガラス側の太陽電池を構成する複数の直線状に配置されたソーラセルの配置密度が異なることを特徴としている。
【００２２】
請求項１５に記載の発明は、前記外周部材の外周面内側近傍に、該外周部材の外周面に沿って帯状の太陽電池を配置し、前記外周部材の外周面を透明部材によって形成したことを特徴としている。
【００２３】
請求項１６に記載の発明は、前記ムーブメントの外周面内側近傍に、該ムーブメントの外周面に沿って帯状の太陽電池を配置し、前記ムーブメントの外周面を透明部材によって形成したことを特徴としている。
【発明の効果】
【００２４】
本発明に係る時計によれば、ムーブメントで駆動される裏面側指針の指示位置が、時計表面側から隙間を通して視認可能であるので、時計を裏返すことなく時計の表面側からこの隙間を通して、裏面側指針の指示位置を容易に視認することができる。
【図面の簡単な説明】
【００２５】
【図１】本発明の実施形態１に係る時計の表面側外観を示す平面図。
【図２】本発明の実施形態１に係る時計の裏面側外観を示す平面図。
【図３】図１のＡ−Ａ線断面図。
【図４】本発明の実施形態１に係る時計のムーブメント内を示す平面図。
【図５】本発明の実施形態２に係る時計の表面側外観を示す平面図。
【図６】本発明の実施形態２に係る時計の裏面側外観を示す平面図。
【図７】本発明の実施形態３に係る時計の表面側外観を示す平面図。
【図８】本発明の実施形態４に係る時計の表面側外観を示す平面図。
【図９】表面側の時刻針と電池残量指針が同軸上に配置され、各駆動ユニットも積層されるように配置されたムーブメントの一例を示す概略断面図。
【図１０】本発明の実施形態５における、表面側の時刻針と電池残量指針の各軸線をずらして配置され、ずらした各軸線位置に対応して各駆動ユニットが同一平面上に配置されたムーブメントを示す概略断面図。
【図１１】本発明の実施形態６に係る時計の表面側外観を示す平面図。
【図１２】本発明の実施形態６に係る時計の裏面側外観を示す平面図。
【図１３】本発明の実施形態７に係る時計の裏面側外観を示す平面図。
【図１４】本発明の実施形態８に係る時計の表面側外観を示す平面図。
【図１５】本発明の実施形態８に係る時計の裏面側外観を示す平面図。
【図１６】本発明の実施形態８に係る時計の水深計として使用したときの状況を示す平面図。
【図１７】本発明の実施形態９に係る時計を示す概略断面図。
【図１８】（ａ）は、本発明の実施形態９に係る時計の表面風防ガラス側の太陽電池を示す平面図、（ｂ）は、裏面風防ガラス側の太陽電池を示す平面図。
【図１９】本発明の実施形態１０に係る時計の表面側外観を示す平面図。
【図２０】図１９のＢ−Ｂ線断面図。
【図２１】本発明の実施形態１１に係る時計の表面側外観を示す平面図。
【図２２】図２１のＣ−Ｃ線断面図。
【発明を実施するための形態】
【００２６】
以下、本発明を図示の実施形態に基づいて説明する。なお、以下の各実施形態の時計は、外装ケースの表面側と裏面側にそれぞれ指針が配置された腕時計タイプの例である。
〈実施形態１〉
図１は、本実施形態に係る時計の表面側外観を示す平面図、図２は、この時計の裏面側外観を示す平面図、図３は、図１のＡ−Ａ線断面図である。
【００２７】
これらの図に示すように、本実施形態に係る時計１は、外装ケース２の筒状内側の外周面に設けたリング状の外周部材３と、外装ケース２の内側の中央部に位置するようにして外周が円形状に形成されたムーブメント４を備えており、ムーブメント４は外装ケース２の内周面（外周部材３の縁部）との間に連結された１本のリブ５により片持ち支持されている。外周部材３の内側周面とムーブメント４の外周面との間には、所定幅のリング状の隙間Ｓ（リブ５の部分は除く）が設けられている。
【００２８】
外周部材３の表面側には、時刻を指針表示するための時刻目盛り６が円周上に設けられている。外装ケース２の表面側と裏面側には、筒状内側を両面から密閉するための透明な表面風防ガラス７と裏面風防ガラス８がそれぞれ取り付けられている（図３参照）。裏面風防ガラス８の内側には、電池残量を表示するための電池残量表示マーク９が印刷等によって形成されている。この電池残量表示マーク９は、前記隙間Ｓの位置に対応して形成されているので、表面風防ガラス７を通して外装ケース２の表面側からも視認することができる。電池残量表示マーク９は、幅広部分から狭くなる方向に向けて電池残量が少なくなることを表している。
【００２９】
ムーブメント４の表面側の中心には、外周部材３上の時刻目盛り６を指針する時針１０、分針１１、秒針１２が同軸上に設置されており、ムーブメント４の裏面側の中心には、裏面風防ガラス８内側の電池残量表示マーク９を指針する電池残量指示針１３が前記時刻針（時針１０、分針１１、秒針１２）と同軸上に設置されている。電池残量指示針１３は、外装ケース２の表面側からも視認しやすいように先端側がクランク状に折り曲げられている（図３参照）。
【００３０】
リブ５は、図３、図４に示すように、３時位置方向に配置された竜頭１４の巻真１５を挿通するようにして設けられている。なお、図４では、外装ケース２の表面側と裏面側の時刻針（時針１０、分針１１、秒針１２）と電池残量指示針１３は図示を省略している。
【００３１】
ムーブメント４の表面側（図３の上側）には、時刻針（時針１０、分針１１、秒針１２）を駆動するための時刻針駆動ユニット４ａが配置され、ムーブメント４の裏面側（図３の下側）には、電池残量指示針１３を駆動するための駆動モータ、輪列等を備えた電池残量指針駆動ユニット４ｂが配置されている。
【００３２】
ムーブメント４の時刻針駆動ユニット４ａは、図４に示すように、巻真１５に繋がるカンヌキなどの金属製の時刻修正機構１６、駆動モータ１７、輪列等の駆動機構１８、電源としての電池１９などを主要部品として備えているが、これらの部品のうちの重量の重い時刻修正機構１６、電池１９などはリブ５に近い側に配置されている。これにより、ムーブメント４内の重い部品（時刻修正機構１６、電池１９など）がリブ５側に位置することで、１本のリブ５でもムーブメント４を安定して片持ち支持することができる。
【００３３】
なお、駆動モータ１７も比較的重い部品であり、できれば駆動モータ１７もムーブメント４のリブ５側に配置することが好ましいのであるが、リブ５側には時刻修正機構１６、電池１９等が既に配置されているので、大きな部品である駆動モータ１７を配置するための空きスペースはなく、また、駆動機構１８などとの接続関係もあるため、リブ５から離れた位置に配置している。
【００３４】
電池１９としては、例えば、リチウムイオン電池などの二次電池や交換式のボタン型電池（一次電池）、更には、太陽電池（ソーラセル）で発電される電力を用いる構成の場合では電力を蓄電可能な二次電池を使用することができる。なお、電池残量指針駆動ユニット４ｂの電源も前記電池１９が使用される。
【００３５】
このように構成された本実施形態の時計１は、時計１の表面側においては、図１に示したように、ムーブメント４の時刻針駆動ユニット４ａで駆動される時刻針（時針１０、分針１１、秒針１２）の時刻目盛り６に対する指針位置によって、現在の時刻がアナログ表示される。
【００３６】
更に、この時計１の裏面側においては、図２に示したように、ムーブメント４の電池残量指針駆動ユニット４ｂで駆動される電池残量針１３の電池残量表示マーク９に対する指針位置によって、電池１９の電池残量（容量残量）がアナログ表示される。図２に示した指針位置では、電池容量がまだ殆ど減っていない状態を指示している。なお、電池残量針１３の駆動による電池残量表示動作は、常時表示を行い定期的に電池１９の電池残量を測定し更新しているが、電池１９の消費を抑えるために竜頭１４を操作したときのみ行うようにしてもよい。
【００３７】
また、本実施形態の時計１は、外周部材３とムーブメント４の間にリング状の隙間Ｓを設けているので、図１に示したように、時計１を裏返すことなく時計１の表面側からもこの隙間Ｓを通して、電池残量指示針１３で指針表示された電池残量表示マーク９上の電池残量位置を視認することができる。
〈実施形態２〉
図５は、本実施形態に係る時計の表面側外観を示す平面図、図６は、この時計の裏面側外観を示す平面図である。本実施形態の時計１ａは、標準電波（標準時刻情報信号）を受信して抽出した標準時刻情報信号に基づいて時刻表示を修正する電波修正時計である。なお、実施形態１の時計と同一機能を有する部材には同一符号を付し、重複する説明は省略する。
【００３８】
本実施形態の時計１ａでは、外装ケース２の内側中央部に配置したムーブメント４を、１２時位置方向に配置した１本のリブ５により外装ケース２の内周面（外周部材３の縁部）との間に連結するようにして片持ち支持している。前記実施形態１と同様に、外周部材３の内側周面とムーブメント４の外周面との間には、所定幅のリング状の隙間Ｓ（リブ５の部分は除く）が設けられており、また、ムーブメント４の表面側と裏面側にそれぞれ時刻針（時針１０、分針１１、秒針１２）と電池残量指示針１３が同軸上に配置されている。
【００３９】
また、本実施形態の時計１ａは、実施形態１の場合よりも大きく形成された外装ケース２の内部に電池１９と、標準電波を受信するためのアンテナ２０が配置されている。電池１９は５時位置方向に配置され、アンテナ２０は１２時位置方向に配置されている。アンテナ２０からの受信信号は、リブ５内に挿通した信号線（不図示）を介してムーブメント４内の制御部（不図示）に出力される。また、電池１９からの電力は、リブ５内に挿通した信号線（不図示）を介してムーブメント４内の制御部、モータ（不図示）等に出力される。他の構成は、前記実施形態１の時計と同様である。
【００４０】
なお、この時計１ａの手動による時刻修正動作や電池残量針１３の駆動による電池残量表示動作等は、２つの操作ボタン２１ａ，２１ｂの押圧操作によってリブ５内に挿通した信号線（不図示）を介して出力される電気信号に基づいて行われる。
【００４１】
このように、本実施形態の時計１ａでは、実施形態１の述べた効果以外に、重量が重く、かつ大きな配置スペースを必要とする電池１９とアンテナ２０を、ムーブメント４内ではなく外装ケース２の内部に配置した構成により、ムーブメント４の小型軽量化を図ることができる。
【００４２】
ムーブメント４の小型軽量化により、ムーブメント４を支持するリブ５の幅をより細くして目立たないようにすることができ、更に、リブ５の形成材料として、強度の小さい安価なものを使用することができる。
【００４３】
なお、本実施形態の時計１ａのように電波修正時計の場合には、電池残量指針で電池残量を指示する構成の代わりに、裏側に受信感度状況や受信している送信局などを指示表示する指針を設けて、ムーブメント４内にこの指針を駆動制御ための駆動制御ユニット（不図示）を設け、アンテナ２０で受信した標準電波信号の受信感度状況や受信している送信局を前記指針の駆動で指示するような構成にしてもよい。更に、このような構成の場合に、受信感度状況や送信局などを指示表示する指針を、電池残量指針として兼用してもよい。
〈実施形態３〉
実施形態１では、ムーブメント４を、３時位置方向に配置した１本のリブ５により外装ケース２の内周面に片持ち支持する構成であったが、図７に示すように、本実施形態の時計１ｂでは、ムーブメント４の９時位置方向と外装ケース２の内周面（外周部材３の縁部）との間にも、透明性を有するガラス材又は透明樹脂で形成された補助リブ２２を連結し、ムーブメント４を両持ち支持した構成である。他の構成は、実施形態１と同様である。
【００４４】
リブ５と補助リブ２２は、３時−９時位置の軸線方向に沿って設けられている。補助リブ２２は透明性を有しているので、外周部材３とムーブメント４の間に設けたリング状の隙間Ｓ内で目立つことはない。なお、補助リブ２２は、３時位置方向に配置したリブ５よりも幅を小さくしているが、リブ５側と同じ幅でもよい。
【００４５】
このように、本実施形態の時計１ｂは、外装ケース２の内側中央部に配置したムーブメント４を、リブ５と補助リブ２２で両持ち支持することにより、より安定してムーブメント４をすることができる。また、ムーブメント４をリブ５と補助リブ２２で両持ち支持することにより、実施形態１のようにリブ５で片持ち支持する場合よりも、リブ５の幅をより細くして目立たないようにすることができ、更に、リブ５の形成材料として、強度の小さい安価なものを使用することができる。
【００４６】
なお、本実施形態では、補助リブ２２を９時位置方向に設けたが、この位置に限らず、補助リブ２２を９時位置方向以外の時刻位置方向に配置してもよい。
〈実施形態４〉
図８に示すように、本実施形態の時計１ｃでは、外周部材３とムーブメント４の間に設けたリング状の隙間Ｓに、透明性を有するガラス材又は透明樹脂材などで成型された透明成型体Ｌを挿着した構成である。また、隙間Ｓに挿着した透明成型体Ｌの両周面は、外装ケース２の内周面とムーブメント４の外周面にそれぞれ固着されている。透明成型体Ｌの厚みは、ムーブメント４の厚みと略同程度である。
【００４７】
これにより、前記各実施形態のようにムーブメント４をリブで片持ち支持又は両持ち支持することなく、ムーブメント４を透明成型体Ｌで外装ケース２の内側中央部に支持することができる。他の構成は、実施形態１と同様である。
【００４８】
なお、透明成型体Ｌは、先端側クランク状に折り曲げられている電池残量指示針１３の回動動作と干渉しないように電池残量表示マーク９と対向する隙間Ｓ内の領域には設けられていない。ただし、電池残量指示針１３を、クランク部をなくして直線状の針とした場合には、透明成型体Ｌと電池残量指示針１３とが干渉することがなくなり、透明成型体Ｌを隙間Ｓ全体に配置することも可能である。また、透明部材Ｌは、隙間Ｓ内の巻真１５の動きも干渉しないように巻真１５の周囲に空間を設けている。
【００４９】
このように、本実施形態の時計１ｃは、隙間Ｓ内にリブを用いることなく透明成型体Ｌでムーブメント４を外装ケース２の内側中央部に支持することができるので、実施形態１に述べた効果以外に、斬新なデザインの時計を提供することができる。
〈実施形態５〉
前記実施形態１等では、図９に示すように、表面側の時刻針（時針１０、分針１１、秒針１２）と電池残量指示針１３が同軸Ｍ上に配置され、更に、各駆動ユニット（時刻針駆動ユニット４ａ、電池残量指針駆動ユニット４ｂ）も積層されるように配置されていたが、本実施形態では、図１０に示すように、表面側の時刻針（時針１０、分針１１、秒針１２）と電池残量指示針１３の各軸線Ｍ１、Ｍ２をずらして配置し、更に、ずらした各軸線Ｍ１、Ｍ２の位置に対応して各駆動ユニット（時刻針駆動ユニット４ａ、電池残量指針駆動ユニット４ｂ）を同一平面上に配置した構成である。
【００５０】
このように、表面側の時刻針（時針１０、分針１１、秒針１２）と電池残量指示針１３の各軸線Ｍ１、Ｍ２をずらして配置し、更に、ずらした各軸線Ｍ１、Ｍ２の位置に対応して各駆動ユニット（時刻針駆動ユニット４ａ、電池残量指針駆動ユニット４ｂ）を同一平面上に配置することにより、時計の薄型化を図ることが可能となる。
〈実施形態６〉
図１１は、本実施形態に係る時計の表面側外観を示す平面図、図１２は、この時計の裏面側外観を示す平面図である。なお、実施形態１の時計と同一機能を有する部材には同一符号を付し、重複する説明は省略する。
【００５１】
本実施形態の時計１ｄは、デュアルタイム時計として構成されたものであり、前記実施形態１と同様に、外装ケース２の内側中央部に配置したムーブメント４を、３時位置方向に配置した１本のリブ５により外装ケース２の内周面に設けた外周部材３との間に連結するようにして片持ち支持している。外周部材３の内側周面とムーブメント４の外周面との間には、所定幅のリング状の隙間Ｓ（リブ５の部分は除く）が設けられている。
【００５２】
また、ムーブメント４の表面側には時刻針（時針１０、分針１１、秒針１２）が、ムーブメント４の裏面側には第２の時針２３がそれぞれ同軸上に配置されている。時計１ｄの表面側からは、隙間Ｓを通して裏面側の第２の時針２３の先端側を視認することができ、時計１ｄの裏面側からは、隙間Ｓを通して表面側の時刻針（時針１０、分針１１、秒針１２）の先端側を視認することができる。外周部材３の表面側には、時刻を指針表示するための時刻目盛り６が円周上に設けられている。また、外周部材３の裏面側には、表面側の時刻目盛り６の１２時−６時方向の軸線に対して反転された時刻目盛り２４が円周上に設けられている。
【００５３】
ムーブメント４内には、時刻針（時針１０、分針１１、秒針１２）を駆動するための時刻針駆動ユニット（不図示）と、第２の時針２３を駆動するための時針駆動ユニット（不図示）が設けられている。表面側の時刻針（時針１０、分針１１、秒針１２）は、表面側から見て時計回り方向（右回り方向）に駆動され、第２の時針２３は、裏面側から見て反時計回り方向（左回り方向）に駆動される。なお、外装ケース２の表面側と裏面側には、筒状内側を両面から密閉するための透明な表面風防ガラス（不図示）と裏面風防ガラス（不図示）がそれぞれ取り付けられている。
【００５４】
本実施形態の時計１ｄでは、時計１ｄの表面側においては、図１１に示したように、ムーブメント４の時刻針駆動ユニット（不図示）で駆動される時刻針（時針１０、分針１１、秒針１２）の時刻目盛り６に対する指針位置によって、現在の時刻がアナログ表示される。
【００５５】
更に、操作スイッチ２５の押圧操作することにより第２の時針２３を任意の時刻を指示するように設定することができる。これにより、図１１に示したように、表面側の時刻針（時針１０、分針１１、秒針１２）で指示される現在時刻に対して、隙間Ｓを通して裏面側の第２の時針２３の先端側で指示される別の時刻を視認することができる。なお、時計１ｄの裏面側からは、第２の時針２３の指示位置と、隙間Ｓを通して表面側の時刻針（時針１０、分針１１、秒針１２）の先端側で指示される時刻を反転された時刻目盛り２４によって視認することができる。
【００５６】
このように、本実施形態の時計１ｄでは、表面側の時針１０で指示される時刻と、裏面側の第２の時針２３で指示される別の時刻をそれぞれ表面側及び裏面側からも視認することができる、新概念のデュアルタイム時計として提供することができる。
〈実施形態７〉
前記実施形態６では、裏面側に１本の第２の時針を設けた構成であったが、本実施形態では、図１３に示すように、時計１ｅの裏面側に第２の時針２３と第２の分針２６を設けた構成である。他の構成は前記実施形態６と同様である。
【００５７】
裏面側の第２の分針２６は、表面側の分針１１（図１１参照）と重なるように同じ位置に配置されている。また、外周部材３の裏面側には、表面側の時刻目盛りと同じ配置の時刻目盛り２７が円周上に設けられている。裏面側の第２の時針２３と第２の分針２６は、操作スイッチ２５を操作しない通常時（時計１ｅの表面側から視認するとき）は、表面側から見て表面側の時針１０、分針１１と同様に時計回り方向（右回り方向）に駆動される。なお、第２の分針２６は分針１１と重なった状態で駆動されるが、分針１１と別時間を指示するようにしてもよい。この場合には、例えば、３０分や１５分単位の時差への対応も可能となる。
【００５８】
また、操作スイッチ２５を押圧操作する裏面側視認時（時計１ｅの裏面側から視認するとき）は、表面側の時刻針（時針１０、分針１１、秒針１２）、及び裏面側の第２の時針２３と第２の分針２６はともに、裏面側から見て時計回り方向（右回り方向）に駆動されるように構成されている。なお、第２の分針２６は分針１１と重なった状態で駆動される。即ち、時計１ｅの表面側から見ると、通常の時刻表示時とは逆方向に駆動される。
【００５９】
本実施形態の時計１ｅでは、時計１ｅの表面側においては、ムーブメント４の時刻針駆動ユニット（不図示）で駆動される時刻針（時針１０、分針１１、秒針１２）で指示される現在の時刻と、隙間Ｓを通して裏面側の第２の時針２３の先端側で指示される別の時刻を視認することができる。
【００６０】
そして、本実施形態では、操作スイッチ２５を押圧操作して時計１ｅの裏面側を視認するときは、表面側の時刻針（時針１０、分針１１、秒針１２）、及び裏面側の第２の時針２３と第２の分針２６はともに、裏面側から見て時計回り方向（右回り方向）に駆動される。これにより、裏面側の第２の時針２３と第２の分針２６、及び隙間Ｓを通して視認される秒針１２の時刻目盛り２７に対する指針位置によって、裏面側でも現在の時刻をアナログ表示することができる。なお、時計１ｅの裏面側での時刻表示であることを認識（確認）する場合には、例えば、操作スイッチ２５と竜頭１４が反転した位置にあることを認識することで判断できる。
【００６１】
このように、本実施形態の時計１ｅでは、裏面側を視認するときは，表面側の時刻針（時針１０、分針１１、秒針１２）、及び裏面側の第２の時針２３と第２の分針２６はともに、裏面側から見て時計回り方向（右回り方向）に駆動することができるので、裏面側にも現在の時刻を表面側と同様にアナログ表示することができる。
〈実施形態８〉
図１４は、本実施形態に係る時計の表面側外観を示す平面図、図１５は、この時計の裏面側外観を示す平面図である。なお、実施形態１の時計と同一機能を有する部材には同一符号を付し、重複する説明は省略する。
【００６２】
本実施形態の時計１ｆは、外装ケース２の内側中央部に配置したムーブメント４を、８時と９時の間の位置方向に配置した１本のリブ５により外装ケース２の内周面に設けた外周部材３との間に連結するようにして片持ち支持している。外周部材３の内側周面とムーブメント４の外周面との間には、所定幅のリング状の隙間Ｓ（リブ５の部分は除く）が設けられている。
【００６３】
時計１ｆの裏面側には、水深指針用の水深指示針３０が、表面側の時刻針（時針１０、分針１１、秒針１２）と同軸上に設置されている。水深指示針３０は、通常の時刻表示時（水深計として使用していないとき）にはリブ５の裏面側に位置しており（図１７参照）、時計１ｆの表面側からは見えないように隠れている（水深計としてしての機能がＯＦＦ状態）。なお、時計１ｆを水深計として使用する場合は、図１６に示すように、表面側から隙間Ｓを通して水深指示針３０の先端側を視認することができる。
【００６４】
外周部材３の表面側には、時刻針（時針１０、分針１１、秒針１２）が指針表示するための時刻目盛り６と、水深指示針３０が指針表示するための水深目盛り３１（図１６では、０〜７０（ｍ））が円周上に設けられている。
【００６５】
本実施形態の時計１ｆでは、通常の時刻表示時を行う場合は、図１に示したように、ムーブメント４の時刻針駆動ユニット（不図示）で駆動される表面側の時刻針（時針１０、分針１１、秒針１２）の時刻目盛り６に対する指針位置によって、現在の時刻がアナログ表示される。
【００６６】
そして、本実施形態の時計１ｆを水深計として使用する場合は、図１６に示すように、操作スイッチ２５を押圧操作することで、ムーブメント４の水深指示針駆動ユニット（不図示）で駆動される水深指示針３０の水深（水圧）に対応した水深目盛り３１に対する指針位置によって、水深がアナログ表示される。
【００６７】
このように、本実施形態の時計１ｆでは、表面側の時刻針（時針１０、分針１１、秒針１２）で現在時刻を指示する通常の時刻表示以外にも、操作スイッチ２５を押圧操作することで、表面側から隙間Ｓを通して水深指示針３０で指示される水深表示を視認することができる。
【００６８】
なお、本実施形態の時計１ｆは、裏面側に設置した水深指示針３０により水深計としての機能も有する時計であったが、水深計以外にも、例えば、裏面側に高度指示針設置し、表面側に高度目盛りを設けて高度計（気圧計）としての機能を有する時計としてもよい。更に、これ以外にも、方位計等の物理用計測やクロノグラフ、タイマー等の非定常時間計測など、非定常的に使用される機能への適用が可能である。
【００６９】
これらの機能の指示針は、定常的に使用される機能ではないにもかかわらず、時計使用者に対し指示値を強く認識させるために、前記水深指示針３０のように非常に太くて大きな指示針が使用される。ところで、このような太くて大きな機能針は、時刻を指示表示する時計としてのみ使用する通常時は、機能的にもデザイン的にもかえって邪魔な存在となる。
【００７０】
これに対して、本実施形態では、時刻を指示表示する通常時には前記水深指示針３０のような太くて大きな機能針をリブ５で隠すことができる。これにより、通常時は時刻のみをスッキリ表示でき、特定機能使用時は太くて大きな指示針で見栄えよく指示表示することができる。
〈実施形態９〉
図１７に示すように、本実施形態に係る時計１ｇは、透明な表面風防ガラス７と裏面風防ガラス８のそれぞれの内側に円板状の太陽電池３２、３３をそれぞれ配置したソーラ時計である。なお、実施形態１の時計と同一機能を有する部材には同一符号を付し、重複する説明は省略する。
【００７１】
表面風防ガラス７側の太陽電池３２と裏面風防ガラス８側の太陽電池３３は、図１８（ａ），（ｂ）に示すように、それぞれ円板状の透明基板３４ａ、３４ｂ上に複数の直線状のソーラセル３５ａ、３５ｂを所定の間隔で配置することで構成されている。表面風防ガラス７側の太陽電池３２のソーラセル３５ａは、裏面風防ガラス８側の太陽電池３３のソーラセル３５ｂよりも配置密度が疎であり、太陽電池３２全体として十分な光透過性を有している。
【００７２】
なお、裏面風防ガラス８側の太陽電池３３も光透過性（表面風防ガラス７側の太陽電池３２よりは低い光透過性）を有しているので、前記実施形態１と同様に、時計１の表面側からも太陽電池３３、隙間Ｓ、太陽電池３２を通して、電池残量指針１３で指針表示された電池残量表示マーク９上の電池残量位置を視認することができる。
【００７３】
このように、本実施形態の時計１ｇでは、表面風防ガラス７と裏面風防ガラス８のそれぞれの内側に太陽電池３２、３３を配置し、かつ表面風防ガラス７側の太陽電池３２のソーラセル３５ａを、裏面風防ガラス８側の太陽電池３３のソーラセル３５ｂよりも配置密度が疎となるように構成している。
【００７４】
これにより、太陽電池３２が十分な光透過性を有しているので、時計１ｇの表面側から太陽電池３２を通して外周部材３上の時刻目盛り（不図示）を良好に視認することができる。更に、外周部材３の内側周面とムーブメント４の外周面との間に設けられているリング状の隙間Ｓ（リブ５の部分は除く）を通して裏面風防ガラス８側の太陽電池３３にも十分な光を導入することができる。
〈実施形態１０〉
図１９は、本実施形態に係る時計の表面側外観を示す平面図、図２０は、図１９のＢ−Ｂ線断面図である。なお、実施形態１の時計と同一機能を有する部材には同一符号を付し、重複する説明は省略する。
【００７５】
図１９、図２０に示すように、本実施形態に係る時計１ｈは、外装ケース２の筒状内側の外周面に設けたリング状の外周部材３の外周面内側近傍に、外周部材３の外周面に沿って帯状の太陽電池（ソーラセル）３６を配置したソーラ時計である。外周部材３の外周面は透明部材によって形成されており、時計１ｈの表面側から、隙間Ｓ、外周部材３の透明な外周面を通して太陽電池３６に十分な光を導入して発電することができる。
【００７６】
このように、本実施形態の時計１ｈでは、外周部材３の外周面内側近傍に、外周部材３の外周面に沿って帯状の太陽電池３６を配置することにより、時計１の表面側から隙間Ｓを通して、電池残量指針１３で指針表示された電池残量表示マーク９上の電池残量位置を視認するときも太陽電池３６が邪魔になることはない。
〈実施形態１１〉
図２１は、本実施形態に係る時計の表面側外観を示す平面図、図２２は、図２０のＣ−Ｃ線断面図である。なお、実施形態１の時計と同一機能を有する部材には同一符号を付し、重複する説明は省略する。
【００７７】
図２１、図２２に示すように、本実施形態に係る時計１ｉは、ムーブメント４の外周面内側近傍に、ムーブメント４の外周面に沿って帯状の太陽電池（ソーラセル）３７を配置したソーラ時計である。ムーブメント４の外周面は透明部材によって形成されており、時計１ｉの表面側から、隙間Ｓ、ムーブメント４の透明な外周面を通して太陽電池３７に十分な光を導入して発電することができる。
【００７８】
このように、本実施形態の時計１ｉでは、ムーブメント４の外周面内側近傍に、ムーブメント４の外周面に沿って帯状の太陽電池３７を配置することにより、時計１の表面側から隙間Ｓを通して、電池残量指針１３で指針表示された電池残量表示マーク９上の電池残量位置を視認するときも太陽電池３７が邪魔になることはない。
【００７９】
なお、実施形態１０と実施形態１１では、帯状の太陽電池３６と３７をそれぞれ外周部材３の外周面かムーブメント４の外周面のいずれか一方のみに取り付けた例を示したが、もちろん、外周部材３の外周面内側近傍に帯状の太陽電池（ソーラセル）３６を配置し、更に、ムーブメント４の外周面内側近傍にも帯状の太陽電池（ソーラセル）３７を配置する構成としてもよい。この場合には、時計の大きさを変えることなく太陽電池の面積を大きくすることができるので、両方の太陽電池３６、３７よってより大きな発電量を得ることが可能となる。
【符号の説明】
【００８０】
１、１ａ〜１ｉ      時計
２        外装ケース
３        外周部材
４        ムーブメント
５        リブ
９        電池残量表示マーク
１０      時針
１１      分針
１２      秒針
１３      電池残量指示針
１９      電池
２０      アンテナ
２２      補助リブ
２３      第２の時針
２６      第２の分針
３０      水深指示針
３２、３３        太陽電池
３５ａ、３５ｂ    ソーラセル
３６、３７        帯状の太陽電池
Ｓ        隙間
Ｌ        透明成型体
【図１】
2010217138.tif 000003
【図２】
2010217138.tif 000004
【図３】
2010217138.tif 000005
【図４】
2010217138.tif 000006
【図５】
2010217138.tif 000007
【図６】
2010217138.tif 000008
【図７】
2010217138.tif 000009
【図８】
2010217138.tif 000010
【図９】
2010217138.tif 000011
【図１０】
2010217138.tif 000012
【図１１】
2010217138.tif 000013
【図１２】
2010217138.tif 000014
【図１３】
2010217138.tif 000015
【図１４】
2010217138.tif 000016
【図１５】
2010217138.tif 000017
【図１６】
2010217138.tif 000018
【図１７】
2010217138.tif 000019
【図１８】
2010217138.tif 000020
【図１９】
2010217138.tif 000021
【図２０】
2010217138.tif 000022
【図２１】
2010217138.tif 000023
【図２２】
2010217138.tif 000024